(57)【要約】【課題】  給送ローラにおける給送エラーを容易に解除することができる媒体給送装置及びその給送装置を備えた記録装置と液体噴射装置を提供すること。【解決手段】  給送ローラ４５の給送逆方向の回転を規制する回転規制手段７０と、前記回転規制手段から伝達される給送方向の回転力を前記給送ローラに伝達し、前記給送ローラから給送逆方向の回転力が加わったときは前記給送ローラを空回りさせる回転力規制手段８０とを備える。これにより、給送ローラによる給送中に給送エラーが発生しても、給送側から媒体を引っ張ることにより媒体を給送ローラから容易に抜き取ることができる。【選択図】      図６
2005280921.tif 000002
【特許請求の範囲】
【請求項１】
媒体を給送ローラにより給送する媒体給送装置であって、
前記給送ローラの給送逆方向の回転を規制する回転規制手段と、
前記回転規制手段から伝達される給送方向の回転力を前記給送ローラに伝達し、前記給送ローラから給送逆方向の回転力が加わったときは前記給送ローラを空回りさせる回転力規制手段とを備えたことを特徴とする媒体給送装置。
【請求項２】
前記回転規制手段と前記回転力規制手段は、連結されて前記給送ローラの軸に装着されていることを特徴とする請求項１に記載の媒体給送装置。
【請求項３】
前記回転規制手段と前記回転力規制手段は、前記媒体の給送エラーの解除手段として機能することを特徴とする請求項１または２に記載の媒体給送装置。
【請求項４】
前記回転規制手段は、ワンウェイクラッチであり、前記回転力規制手段は、トルクリミッタであることを特徴とする請求項１〜３の何れか一項に記載の媒体給送装置。
【請求項５】
媒体に記録する記録装置であって、
請求項１〜４の何れか一項に記載の媒体給送装置を備えたことを特徴とする記録装置。
【請求項６】
被噴射媒体に液体を噴射する液体噴射装置であって、
請求項１〜４の何れか一項に記載の媒体給送装置を備えたことを特徴とする液体噴射装置。
【発明の詳細な説明】
【技術分野】
【０００１】
本発明は、媒体を給送する媒体給送装置及びその媒体給送装置を備えた記録装置と液体噴射装置に関する。
【背景技術】
【０００２】
記録装置の１つであるインクジェット式プリンタは、背面側から給紙して前面側に排紙するタイプや、前面側にて給排紙するタイプがある。前面側にて給排紙するタイプのプリンタは、装置前面の下段に給紙トレイが配設され、上段に排紙スタッカが配設されている。そして、給紙トレイに収納されている用紙は、給紙ローラにより給送及び反転され、紙送りローラにより搬送されて記録され、排紙ローラにより排紙スタッカ上に排紙されるようになっている。
【０００３】
【特許文献１】特開２００１−２４０２６３号公報
【発明の開示】
【発明が解決しようとする課題】
【０００４】
上述した従来のインクジェット式プリンタにおいて給紙ローラによる給送中に紙ジャム等の給送エラーが発生した場合、この用紙を給紙トレイ側から引っ張ろうとしても給紙ローラを逆回転させる負荷が大きいため、用紙を給紙ローラから抜き取ることができない。また、無理に用紙を引っ張ると用紙が破けるおそれがあり、そのような場合はプリンタのリアカバーを開放しないと給送エラーを解除することができない。
【０００５】
本発明は、上記のような種々の課題に鑑みなされたものであり、その目的は、給送ローラにおける給送エラーを容易に解除することができる媒体給送装置及びその媒体給送装置を備えた記録装置と液体噴射装置を提供することにある。
【課題を解決するための手段】
【０００６】
上記目的達成のため、本発明の媒体給送装置では、媒体を給送ローラにより給送する媒体給送装置であって、前記給送ローラの給送逆方向の回転を規制する回転規制手段と、前記回転規制手段から伝達される給送方向の回転力を前記給送ローラに伝達し、前記給送ローラから給送逆方向の回転力が加わったときは前記給送ローラを空回りさせる回転力規制手段とを備えたことを特徴としている。これにより、給送ローラによる給送中に給送エラーが発生しても、給送側から媒体を引っ張ることにより媒体を給送ローラから容易に抜き取ることができる。
【０００７】
また、前記回転規制手段と前記回転力規制手段は、連結されて前記給送ローラの軸に装着されていることを特徴としている。これにより、回転規制手段と回転力規制手段をコンパクトに纏めることができるので、装置自体の大きさを小型化することができる。また、前記回転規制手段と前記回転力規制手段は、前記媒体の給送エラーの解除手段として機能することを特徴としている。これにより、媒体を給送側から引っ張って給送エラーを解除することができるので、媒体の給送エラー解除作業を簡易化させることができる。また、前記回転規制手段は、ワンウェイクラッチであり、前記回転力規制手段は、トルクリミッタであることを特徴としている。これにより、簡易な構成となるので、配設スペースを小さくすることができるとともに、部品コストを低く抑えることができる。
【０００８】
上記目的達成のため、本発明の記録装置では、媒体に記録する記録装置であって、上記各媒体給送装置を備えたことを特徴としている。また、本発明の液体噴射装置では、被噴射媒体に液体を噴射する液体噴射装置であって、上記各媒体給送装置を備えたことを特徴としている。これにより、上記各作用効果を奏する記録装置及び液体噴射装置を提供することができる。
【発明を実施するための最良の形態】
【０００９】
図１は、本発明の一実施の形態に係る記録装置の１つであるインクジェット式複合機の外観構成の全体を示す斜視図、図２は、その内部構造を示す斜視図、図３は、その概略側面図である。このインクジェット式複合機１００は、例えばＪＩＳ規格のＬ判やＡ６判からＡ４判までのサイズの単票紙やハガキに記録することができるプリンタ機能と、ＪＩＳ規格のＡ４判までのサイズの原稿及びＵＳ規格のレターサイズまでの原稿を読み取ることができるスキャナ機能と、ＪＩＳ規格のＬ判、２Ｌ判、Ｂ５判、Ａ４判、六切り、ハガキのサイズの用紙に複写することができるコピー機能を備えている。
【００１０】
このインクジェット式複合機１００は、図１に示すように、全体が略直方体状のハウジング１０１で覆われており、下段にプリンタ１１０が配設され、上段にスキャナ１２０が配設された構成となっている。そして、背面側に給紙部１３０が配設され、前面側に本発明の特徴的な部分である給排紙部１４０が配設されている。ユーザは、記録前の用紙のセッティング方向として背面側の給紙部１３０及び前面側の給排紙部１４０の一方または両方を選択することができるので、インクジェット式複合機１００の設置位置の自由度を高めることができる。さらに、記録後の用紙は常に前面側の給排紙部１４０から排紙されるので、ユーザは用紙を容易に取り出すことができる。
【００１１】
ハウジング１０１の上面には、図１に示す矩形平板状のスキャナカバー１０２が配設されている。このスキャナカバー１０２は、前部に取っ手１０３が形成されており、後部の回転軸を中心に図示矢印ａ方向に回動可能に取り付けられている。ユーザは、スキャナ１２０を使用するときは取っ手１０３に指を差し込んでスキャナカバー１０２を開閉することができるので、原稿の出し入れを容易に行うことができる。
【００１２】
ハウジング１０１の前面両側には、図２に示す複数のインクカートリッジ１０が抜き差しされるカートリッジ収納部１０４がそれぞれ形成されている。各インクカートリッジ１０は、記録用の各色のインクを貯留している。各カートリッジ収納部１０４は、図１に示す透明もしくは半透明のカートリッジカバー１０５によって覆われている。カートリッジカバー１０５は、その下部の回動軸を中心に図示矢印ｂ方向に回動可能に取り付けられている。ユーザは、従来のように重量のあるスキャナ１２０全体を持ち上げてプリンタ１１０の内部を開放しなくても、カートリッジカバー１０５を軽く押して係止部を外しカートリッジ収納部１０４を開放するのみにより、インクカートリッジ１０の交換作業等を行うことができるので、作業効率を向上させることができる。
【００１３】
ハウジング１０１の上面のスキャナカバー１０２の手前には、図１に示すように、プリンタ１１０、スキャナ１２０、コピーの各動作を指示する操作部１０６が配設されている。操作部１０６は、パワーをオン・オフするパワー系、用紙の頭出し等を操作したりインクのフラッシング等を操作する操作系、画像処理等を行う処理系等の図示しないボタン等と、状態を表示する液晶パネル１０７等を備えている。ユーザは、液晶パネル１０７を見て確認しながらボタン等を操作することができる。
【００１４】
ハウジング１０１内には、図２及び図３に示すように、本発明の特徴的な部分を含む給排紙部１４０と、給紙部１３０、記録部１５０等が配設されている。給紙部１３０には、図１に示すように、上方に向かって矩形状に開口したリア給紙口１３１が形成され、このリア給紙口１３１の両端縁と後縁に沿ってフレーム１３２が配設されている。そして、このフレーム１３２には、図１〜図３に示すように、給紙する用紙を１枚もしくは複数枚サポートするペーパーサポート１３３と、ペーパーサポート１３３にサポートされている用紙を１枚ずつ自動的に給送する背面給紙機構（以下、リアＡＳＦという）１３４等が配設されている。
【００１５】
図４は、ペーパーサポート１３３とリアＡＳＦ１３４の詳細を示す側面図であり、図１〜図４を参照して説明する。ペーパーサポート１３３は、用紙の裏面をサポートする第１サポート２１及び第２サポート２２と、用紙の両サイドエッジをガイドする固定エッジガイド２３と可動エッジガイド２４等を備えている。リアＡＳＦ１３４は、ペーパーサポート１３３にサポートされている用紙を給送するために持ち上げるホッパ３１、このホッパ３１により持ち上げられた用紙を取り出す給紙ローラ３２、この給紙ローラ３２により重送された用紙を１枚のみに分離するリタードローラ３３、このリタードローラ３３により分離された残りの用紙をホッパ３１へ戻すリア紙戻しユニット３４等を備えている。
【００１６】
第１サポート２１は、平板状に形成されてフレーム１３２の後壁内側に格納・引出自在に配設され、第２サポート２２は、平板状に形成されて第１サポート２１に格納・引出自在に配設されている。第１サポート２１及び第２サポート２２は、給紙方向に伸縮自在に形成されているので、不使用のときはコンパクトに格納しておくことができ、また使用のときは種々のサイズの用紙を確実にサポートすることができる。
【００１７】
また、固定エッジガイド２３は、フレーム１３２の装置前面側から見て右側壁に沿う形状でホッパ３１と一体形成され、可動エッジガイド２４は、フレーム１３２の装置前面側から見て左側壁に沿う形状に形成され、フレーム１３２の左側壁と右側壁の間をフレーム１３２の後壁と略平行に移動可能なようにホッパ３１に取り付けられている。固定エッジガイド２３と可動エッジガイド２４は、用紙のサイズが異なっても確実に用紙の両側縁をガイドすることができるので、給送を高精度に行うことができる。
【００１８】
ホッパ３１は、用紙が載置可能な平板状に形成されてフレーム１３２の後壁と略平行に配設されており、下端が給紙ローラ３２の近傍に位置し、上端がフレーム１３２の後壁頂部に近接して位置するように配設されている。そして、ホッパ３１は、下端側の裏面にフレーム１３２の後壁に一端が取り付けられた図示しない圧縮バネの他端が取り付けられており、この圧縮バネの伸縮により上端側を中心に下端側が旋回するように配設されている。
【００１９】
給紙ローラ３２は、断面の一部が切り欠かれたＤ字状に形成されてホッパ３１の下端近傍に配設されており、間欠的に回転してホッパ３１により持ち上げられた用紙を摩擦給送するようになっている。リタードローラ３３は、給紙ローラ３２と当接可能に配設されており、給紙ローラ３２により用紙が重送されたときに最上層の用紙のみを下層の用紙から摩擦分離するようになっている。リア紙戻しユニット３４は、爪状に形成されて給紙ローラ３２の近傍に配設されており、リタードローラ３３により分離された下層の用紙を爪に掛けてホッパ３１へ戻すようになっている。
【００２０】
給排紙部１４０には、図２及び図３に示すように、前方に向かって矩形状に開口したフロント給排紙口１４１が形成され、このフロント給排紙口１４１の下側に給紙トレイ１４２が配設され、給紙トレイ１４２の上側に排紙トレイ１４３が配設されている。そして、フロント給排紙口１４１の奧には、図３に示すように、給紙トレイ１４２に収納されている用紙を１枚ずつ自動的に給送する本発明の特徴的な部分である前面給紙機構（以下、フロントＡＳＦという）１４４と、排紙トレイ１４３に用紙を自動的に排送する前面排紙機構（以下、フロントＥＪという）１４５が配設されている。
【００２１】
給紙トレイ１４２は、図２及び図３に示すように、平板状に形成されており、上面に記録前の給紙される用紙が積層収納されるようなっている。排紙トレイ１４３は、図２及び図３に示すように、第１トレイ１４３ａ、第２トレイ１４３ｂ及び第３トレイ１４３ｃを備えている。第１トレイ１４３ａは、平板状に形成されて後部が給排紙部１４０の奧の本体フレーム１０８に回動自在に配設され、第２トレイ１４３ｂは、平板状に形成されて第１トレイ１４３ａに格納・引出自在に配設され、第３トレイ１４３ｃは、平板状に形成されて第２トレイ１４３ｂに格納・引出自在に配設されている。
【００２２】
排紙トレイ１４３は、第２トレイ１４３ｂ及び第３トレイ１４３ｃが引き出された状態で、上面に記録後の排紙される用紙が積層載置されるようなっている。第２トレイ１４３ｂ及び第３トレイ１４３ｃは、排紙方向に伸縮自在に形成されているので、不使用のときはコンパクトに格納しておくことができ、また使用のときは種々のサイズの排紙される用紙を確実に積層載置することができる。なお、この給排紙部１４０は、給排紙時に折り曲げることが不可能な厚手の用紙や光ディスク等が収納されたトレイを手差しで給紙、供給することが可能なようにも形成されている。
【００２３】
図５は、フロントＡＳＦ１４４の詳細を示す側面図であり、図３及び図５を参照して説明する。フロントＡＳＦ１４４は、給紙トレイ１４２に収納されている用紙を取り出すピックアップローラユニット４１、このピックアップローラユニット４１により取り出された用紙の向きを変える土手部４２を備えている。さらに、ピックアップローラユニット４１により重送された用紙を１枚のみに分離するリタードローラユニット４３、このリタードローラユニット４３により分離された残りの用紙を給紙トレイ１４２に戻すフロント紙戻しユニット４４、給送される用紙をＵ字状に反転させる中間ローラ（給送ローラ）４５及びアシストローラ４６等を備えている。
【００２４】
ピックアップローラユニット４１は、給紙トレイ１４２の後部上方に配置され給紙トレイ１４２に対して上下に旋回自在に配設されており、下降して給紙トレイ１４２に収納されている用紙を摩擦給送するようになっている。土手部４２は、給紙トレイ１４２の後部にて後方に向けて傾斜するように配設されており、ピックアップローラユニット４１により給送される用紙の先端を上方に方向変換するようになっている。
【００２５】
リタードローラユニット４３は、中間ローラ４５と当接可能に配設されており、ピックアップローラユニット４１により用紙が重送されたときに最上層の用紙のみを下層の用紙から摩擦分離するようになっている。フロント紙戻しユニット４４は、爪状に形成されてリタードローラユニット４３の近傍に配設されており、リタードローラユニット４３により分離された下層の用紙を爪に掛けて給紙トレイ１４２へ戻すようになっている。アシストローラ４６は、中間ローラ４５に対して常時当接するように配設されており、リタードローラユニット４３により分離された最上層の用紙を中間ローラ４５と挟持してＵ字状に反転させ、プラテン１５５へ給送するようになっている。
【００２６】
フロントＥＪ１４５は、図３に示すように、第１排紙ローラ５１と第１ギザローラ５２、第２排紙ローラ５３と第２ギザローラ５４等を備えている。第１排紙ローラ５１は、プラテン１５５の搬送下流側に配設されており、プラテン１５５を通過してくる用紙を第１ギザローラ５２とともに挟持して排送し、さらに第２排紙ローラ５３は、第１排紙ローラ５１の搬送下流側に配設されており、その用紙を第２ギザローラ５４とともに挟持して排紙トレイ１４３上へ排送するようになっている。
【００２７】
記録部１５０には、図３に示すように、記録動作に同期して副走査方向に用紙を送る紙送りローラ１５１とその従動ローラ１５２、記録動作に同期して主走査方向に移動するキャリッジ１５３、記録動作に同期してインクを吐出する記録ヘッド１５４、記録時の用紙を平坦に保持するプラテン１５５等が配設されている。
【００２８】
紙送りローラ１５１は、図３に示すように、プラテン１５５の搬送上流側に配設されており、給紙ローラ３２により給送される用紙もしくは中間ローラ４５により反転給送される用紙を図２に示す紙送り機構１５６により従動ローラ１５２とともに挟持してプラテン１５５へ送り出すようになっている。キャリッジ１５３は、プラテン１５５の上方で図３に示すキャリッジガイド軸１５７に貫装されて図２に示すキャリッジベルト１５８に連結されており、図２に示すキャリッジモータ１５９によってキャリッジベルト１５８が作動すると、キャリッジベルト１５８の動きに連行され、キャリッジガイド軸１５７に案内されて往復移動するようになっている。
【００２９】
記録ヘッド１５４は、図３に示すように、プラテン１５５と所定の間隔が空くようにしてキャリッジ１５３に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１５４は、圧力発生室とそれに繋がるノズル開口が設けられており、圧力発生室内にインクを貯留して所定圧で加圧することにより、ノズル開口から用紙に向けてコントロールされた大きさのインク滴を吐出するようになっている。次に、本発明の特徴的な部分である給排紙部１４０の中間ローラ４５周辺について、さらに図を参照して説明する。
【００３０】
図６は、上記給排紙部１４０の中間ローラ４５周辺の詳細を示す斜視図である。図６（Ａ）に示すように、中間ローラ４５は、図２に示す紙送り機構１５６によって駆動する紙送りローラ１５１から伝達される回転力により駆動する。すなわち、紙送りローラ１５１と中間ローラ４５の間には、回転力の伝達機構として歯車列６０とワンウェイクラッチ（回転規制手段）７０とトルクリミッタ（回転力規制手段）８０が配設されている。
【００３１】
歯車列６０は、紙送りローラ１５１に嵌合されている第１平歯車６１、この第１平歯車６１に噛み合う第２平歯車６２、この第２平歯車６２に噛み合う第３平歯車６３、この第３平歯車６３に噛み合う複合歯車６４を備えている。ワンウェイクラッチ７０は、一般的な内歯式のものであり、中間ローラ４５の給紙方向の回転に対しては何ら規制せず、給紙逆方向の回転に対して規制するように動作する。このワンウェイクラッチ７０は、中間ローラ４５の軸４５ａに嵌合され、複合歯車６４に噛み合うように配設されている。
【００３２】
トルクリミッタ８０は、コイルバネ８１とホルダ８２を備えている。コイルバネ８１は、中間ローラ４５の軸４５ａに挿入されている。ホルダ８２は、コイルバネ８１を覆うことが可能な筒状に形成されており、一端がワンウェイクラッチ７０の一端と噛合いにより連結され、他端がコイルバネ８１の一端と噛合いにより係止されている。すなわち、ホルダ８２の一端には凸部８２ａが形成されており、図６（Ｂ）に示すように、ワンウェイクラッチ７０の一端に形成されている凹部７０ａと噛み合うことにより、ホルダ８２とワンウェイクラッチ７０が連結するようになっている。ホルダ８２の他端には凹部８２ｂが形成されており、図６（Ｂ）に示すように、コイルバネ８１の一端が軸に対し垂直に折り曲げられて挿入されることにより、ホルダ８２とコイルバネ８１が係止するようになっている。そして、コイルバネ８１の緩みトルクは、歯車列６０により中間ローラ４５の軸４５ａに掛かる負荷よりも大きくなるように設定されている。
【００３３】
このような構成において、紙送りローラ１５１から伝達される給紙方向の回転力は、歯車列６０からワンウェイクラッチ７０を介してトルクリミッタ８０に伝達される。このときの回転力は、コイルバネ８１の緩みトルクよりも小さいので、コイルバネ８１を介して中間ローラ４５の軸４５ａに伝達される。したがって、中間ローラ４５は給紙方向にスムーズに回転することになる。
【００３４】
一方、中間ローラ４５で紙ジャムが発生した場合、ユーザが給紙トレイ１４２側から用紙を引っ張ると、中間ローラ４５には給紙逆方向に回転力が加わることになる。このときの回転力をコイルバネ８１の緩みトルクよりも多少大きくすると、コイルバネ８１は緩む方向、すなわち中間ローラ４５の軸４５ａから離れる方向に捩れることになる。したがって、中間ローラ４５の軸４５ａは空回りすることになり、中間ローラ４５は給紙逆方向にスムーズに回転することになる。よって、ユーザは用紙を傷めずに給紙トレイ１４２側から引き抜くことができ、紙ジャムを短時間で容易に解除することができる。
【００３５】
以上のような構成によれば、内歯式のワンウェイクラッチ７０を使用しているので、従来のような遊星歯車を使用する場合と比べて部品点数を大幅に減少させてコンパクトに構成することができるとともに、バックラッシュを減少させることができる。そして、トルクリミッタ８０を組み合わせているので、トルクリミッタ８０の緩みトルクを越える回転力を与えることにより、中間ローラ４５を給送逆回転させることができるようになり、紙ジャム等の給送エラーを前面側から容易に解除することができる。なお、用紙が紙送りローラ１５１まで達した状態で紙ジャム等が発生した場合は、紙送りローラ１５１による負荷も加わるため、何らかの方法で従動ローラ１５２をレリースさせることにより、用紙を傷めずに給紙トレイ１４２側から引き抜くことができる。
【００３６】
このような構成において、インクジェット式複合機１００にて用紙に記録する場合の動作について説明する。ユーザは、記録前の複数枚の用紙を給紙トレイ１４２に収納してインクジェット式複合機１００を起動する。給紙トレイ１４２に積層収納された用紙は、紙送り機構１５６により駆動されているピックアップローラユニット４１により中間ローラ４５に摩擦給送され、最上層の用紙のみが紙送り機構１５６により駆動されているリタードローラユニット４３により分離されて給送される。そして、用紙は、スキュー取り及び頭出しされた後、紙送り機構１５６により駆動されている紙送りローラ１５１とその従動ローラ１５２に挟持されてプラテン１５５へ給送される。
【００３７】
用紙は、キャリッジモータ１５９とキャリッジベルト１５８により走査されるキャリッジ１５３に搭載された記録ヘッド１５４により記録される。このとき、インクジェット式複合機１００の制御部は、例えばイエロー、マゼンタ、ライトマゼンタ、シアン、ライトシアン、ブラックの計７色のインクカートリッジから記録ヘッド１５４へ各色インクを供給し、各色インクの吐出タイミング及びキャリッジ１５３や紙送りローラ１５１の駆動を制御して、高精度なインクドット制御、ハーフトーン処理等を実行する。そして、記録が完了した用紙は、紙送り機構１５６により駆動されている第１排紙ローラ５１と第１ギザローラ５２、第２排紙ローラ５３と第２ギザローラ５４に挟持されて給排紙部１４０へ排紙され、排紙トレイ１４３上へ積層載置される。
【００３８】
以上のように、本実施形態のインクジェット式複合機１００によれば、中間ローラ４５の給送逆方向の回転を規制するワンウェイクラッチ７０と、ワンウェイクラッチ７０から伝達される給送方向の回転力を中間ローラ４５に伝達し、中間ローラ４５から給送逆方向の回転力が加わったときは中間ローラ４５を空回りさせるトルクリミッタ８０とを備えているので、中間ローラ４５による給送中に給送エラーが発生しても、給送側から用紙を引っ張ることにより用紙を中間ローラ４５から容易に抜き取ることができる。また、ワンウェイクラッチ７０とトルクリミッタ８０は、連結されて中間ローラ４５の軸４５ａに装着されているので、コンパクトに纏めることができ、インクジェット式複合機１００自体の大きさを小型化することができる。
【産業上の利用可能性】
【００３９】
媒体給送装置を備えた記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００４０】
【図１】本発明の一実施の形態に係る記録装置の１つであるインクジェット式複合機の外観構成の全体を示す斜視図である。
【図２】図１の複合機の内部構造を示す斜視図である。
【図３】図２の複合機の内部構造の概略側面図である。
【図４】図１の複合機のペーパーサポートとリアＡＳＦの詳細を示す側面図である。
【図５】図１の複合機のフロントＡＳＦの詳細を示す側面図である。
【図６】図１の複合機の給排紙部の中間ローラ周辺の詳細を示す斜視図である。
【符号の説明】
【００４１】
２１  第１サポート、２２  第２サポート、２３  固定エッジガイド、２４  可動エッジガイド、３１  ホッパ、３２  給紙ローラ、４５  中間ローラ、６０  歯車列、７０  ワンウェイクラッチ、８０  トルクリミッタ、８１  コイルバネ、８２  ホルダ、１００  インクジェット式複合機、１０１  ハウジング、１１０  プリンタ、１２０  スキャナ、１３０  給紙部、１３１  リア給紙口、１３２  フレーム、１３３  ペーパーサポート、１３４  リアＡＳＦ、１４０  給排紙部、１５０  記録部、１５１  紙送りローラ、１５６  紙送り機構
【図１】
2005280921.tif 000003
【図２】
2005280921.tif 000004
【図３】
2005280921.tif 000005
【図４】
2005280921.tif 000006
【図５】
2005280921.tif 000007
【図６】
2005280921.tif 000008